(57)【要約】  本発明は、車両駆動装置に用いられるリンクプレートチェーンに関するものであって、押圧部材（５）を介してジョイント式に互いに結合された多数のチェーンリンクプレート（６）が設けられており、押圧部材（５）が、当該リンクプレートチェーン（１）の長手方向に対して横方向で延びており、押圧部材（５）とチェーンリンクプレート（６）とに、湾曲されて形成された各当接面（９，１０）が形成されており、該当接面（９，１０）に沿って押圧部材（５）とチェーンリンクプレート（６）とが、力伝達のために互いに接触しており、各当接面（９，１０）が、当該リンクプレートチェーン（１）の長手方向に対して横方向に延びる幅と、該幅に対して横方向に延びる、リンクプレートチェーン（１）の長手方向における断面図で見て、所定の弧長（２８）とを有している形式のものにおいて、当接面（９，１０）が、弧長（２８）に沿って、種々異なる曲率を備えた少なくとも３つの領域を有している。
2008522111.tif 000002
【特許請求の範囲】
【請求項１】
特に車両駆動装置に用いられるリンクプレートチェーンであって、押圧部材（５）を介してジョイント式に互いに結合された多数のチェーンリンクプレート（６）が設けられており、押圧部材（５）が、当該リンクプレートチェーン（１）の長手方向に対して横方向で延びており、押圧部材（５）とチェーンリンクプレート（６）とに、湾曲されて形成された各当接面（９，１０，１８，１９，２６，２７）が形成されており、該当接面（９，１０，１８，１９，２６，２７）に沿って押圧部材（５）とチェーンリンクプレート（６）とが、力伝達のために互いに接触しており、各当接面（９，１０，１８，１９，２６，２７）が、当該リンクプレートチェーン（１）の長手方向に対して横方向に延びる幅と、該幅に対して横方向に延びる、リンクプレートチェーン（１）の長手方向における断面図で見て、所定の弧長（２８）とを有している形式のものにおいて、当接面（９，１０，１８，１９，２６，２７）が、弧長（２８）に沿って、種々異なる曲率を備えた少なくとも３つの領域を有していることを特徴とする、特に車両駆動装置に用いられるリンクプレートチェーン。
【請求項２】
最小の曲率に対する最大の曲率の比が、少なくともファクタ２である、請求項１記載のリンクプレートチェーン。
【請求項３】
少なくとも３つの領域における曲率が、個々の領域の内部で弧長（２８）に沿ってそれぞれ不変である、請求項１または２記載のリンクプレートチェーン。
【請求項４】
少なくとも３つの領域における曲率が、個々の領域の内部で弧長（２８）に沿ってそれぞれ変化している、請求項１または２記載のリンクプレートチェーン。
【請求項５】
当接面（９，１０，１８，１９，２６，２７）が、弧長（２８）に沿ってカーブセグメントを有しており、該カーブセグメントの２次導関数が連続的である、請求項１から４までのいずれか１項記載のリンクプレートチェーン。
【請求項６】
当接面（９，１０，１８，１９，２６，２７）が、弧長（２８）に沿ってカーブセグメントを有しており、該カーブセグメントの、弧長（２８）に沿った最小の曲率半径が、弧長（２８）のほぼ中間に位置している、請求項１から５までのいずれか１項記載のリンクプレートチェーン。
【発明の詳細な説明】
【技術分野】
【０００１】
本発明は、特に車両駆動装置に用いられるリンクプレートチェーンであって、押圧部材を介してジョイント式に互いに結合された多数のチェーンリンクプレートが設けられており、押圧部材が、当該リンクプレートチェーンの長手方向に対して横方向で延びており、押圧部材とチェーンリンクプレートとに、湾曲されて形成された各当接面が形成されており、該当接面に沿って押圧部材とチェーンリンクプレートとが、力伝達のために互いに接触しており、各当接面が、当該リンクプレートチェーンの長手方向に対して横方向に延びる幅と、該幅に対して横方向に延びる、リンクプレートチェーンの長手方向における断面図で見て、所定の弧長とを有している。
【０００２】
ここで言及した形式のリンクプレートチェーンには、車両駆動装置における使用に応じて種々異なる構成がある。無段階の円錐形ディスクチェーン可変装置（ＣＶＴ）において車両伝動装置の部材として使用する場合には、複数の押圧部材は特殊に成形された端面を有している。これらの端面を介して円錐形ディスクとチェーンとの間の張力が摩擦力として伝達される。車両駆動装置においてたいてい別に使用する場合には、リンクプレートチェーンは歯付きチェーンである。つまりチェーンリンクプレートは、少なくとも一方の側に歯を有していて、これらの歯を介して歯車とチェーンとの間の張力が伝達される。このような歯付きチェーンは、公知先行技術において、たとえばＵＳ−ＰＳ４９０６２２４号明細書により公知である。このような公知の歯付きチェーンは、車両駆動装置の複数の個所、たとえば全輪分配伝動装置、またはディファレンシャルに対する軸距の橋渡しのためのフロント横置き伝動装置において使用され、または伝動装置組込み式の液圧的な補助装置の駆動チェーンとして、または内燃機関の弁駆動制御チェーンとして、または車両の別の補助装置（冷媒ポンプ、潤滑剤ポンプ、空調用コンプレッサ、点灯用発電機、スタートエンジン、ハイブリッド式の付加エンジン、ブレーキブースタおよびそのようなもの）の駆動チェーンとして使用される。
【０００３】
ここで言及した形式のリンクプレートチェーンは、複数のチェーンリンクプレートから構成されていて、これらのチェーンリンクプレートは、押圧部材を介してジョイント式に互いに結合されている。この場合、チェーンリンクプレートは、リンクプレートパッケージの形で配置されていてよい。リンクプレートパッケージは、複数のチェーンリンクプレートが互いに隣接して相並んで位置するようにして、押圧部材によって挿着されることにより形成され、これによって、テンションを掛けられた状態で大きな力を伝達することができるリンクプレートチェーンがもたらされる。
【０００４】
この場合、押圧部材とチェーンリンクプレートとの間の力伝達は、当接面において行われる。これらの当接面は押圧部材にもチェーンリンクプレートにも形成されていて、当接面に沿って押圧部材とチェーンリンクプレートは互いに接触している。押圧部材は、鋲またはピントとも呼称され、それぞれ対になってロッカージョイントとして２つのリンクプレート開口内に挿入されている。これらのリンクプレート開口は、円錐形ディスク式巻掛け伝動装置に用いられるチェーンでは、しばしば１つの大きな開口に合一される。
【０００５】
押圧部材には種々異なる機能面が形成されている。リンクプレートチェーンの１つの開口内で互いに相対する押圧部材対偶は、転動領域または転動面において互いに接触している。チェーンがキンクする場合には、この個所では、押圧部材のジオメトリに基づき設定されたキンク角を中心にして転動運動が生じる。
【０００６】
押圧部材の当接面とチェーンリンクプレートの当接面とが接触し、これにより、面加圧がチェーンリンクプレートの当接面と押圧部材の当接面との間に生じる。これらの当接面は、多数の要求を満たさなければならない。ひとつには当接面の形状付与に基づき生じる面圧が、大きくならないことが望まれ、もうひとつには当接面は、押圧部材がチェーンリンクプレートの開口内で回動しないように、回動防止手段としても役に立つことが望まれる。
【０００７】
この目的のために、明らかに異なる２つの曲率半径をセグメントごとに備えたセグメント化された当接面を有するリンクプレートチェーンが既に公知である。したがってＵＳ６２７７０４６号明細書には、異なる２つの曲率半径を備えた押圧部材に、２つの当接面を有するリンクプレートチェーンが開示してある。これらの異なる曲率半径により、今や回動防止手段が獲得され、これにより、押圧部材は、チェーンリンクプレートの開口内では回動しない。公知な別のリンクプレートチェーンがＵＳ５２３６９３９９号明細書に記載されている。このリンクプレートチェーンは、再び異なる２つの曲率半径がそれぞれ当接面に設けられているか、または曲率半径中心点がずらされていることにより、１つの回動防止策を講じる。
【０００８】
この回動防止手策の他に、当接面は抗張力がありかつ耐疲労性のリンクプレートチェーンという要求も満たさなければならない。この目的のために、押圧部材とチェーンリンクプレートとの間にある接触区域における面圧は、設定値を超えてはならない。これまでの理解によれば、ここには僅かな曲率ひいては大きな曲率半径を有する当接面が必要であった。したがって、前記公知のリンクプレートチェーンは、当接面における接触圧を減じるために曲率半径の拡大が必要である。
【０００９】
驚くべきことに、今や、押圧部材とリンクプレートチェーンとの当接面の接触領域における圧縮応力ピークの発生は、小さな曲率半径（ひいては大きな曲率）の存在が担っているのではなく、局地的な応力ピークが、異なる曲率半径間の移行領域に顕著になって発生するということが分かった。今やこのことは、公知のリンクプレートチェーンでは、明らかな応力ピークは、一方の曲率半径から他方の曲率半径への移行領域に存在し、しかもこの移行がキンクなしで接線状に延びていても移行領域に存在するという認識に至った。
【００１０】
このことに対応する図が図１である。図１には、符号Ｋで示した小さな曲率半径と、符号Ｇで示した大きな曲率半径との間の移行領域に圧縮応力ピークが生じているが、小さな曲率半径の領域における圧縮応力は、大きな曲率半径の領域における圧縮応力よりも著しく高くない。つまりこの認識は、小さな曲率半径が、局地的に高い圧縮応力ピークの発生を担っているのではなく、一方の曲率半径から他方の曲率半径への移行領域が欠陥個所であるということである。
【００１１】
つまり、押圧部材の転動面は、リンクプレートチェーンのキンク時の回動のために設けられているにもかかわらず、押圧部材の回動は当接面で起こり、つまり回動防止手段を備えたリンクプレートチェーンにおいても、リンクプレートチェーンのチェーンリンクプレートと押圧部材の接触面領域において相対回動が生じ、つまり押圧部材とチェーンリンクプレートとの間で当接面において剪断運動が起こり、このことが一方の曲率半径から他方の曲率半径への移行部において当接面のミスマッチ対偶に繋がり、つまりチェーンリンクプレートの曲率は押圧部材の曲率ともはや一致しないということが分かった。
【００１２】
この剪断は、今や押圧部材とチェーンリンクプレートとの間の接触区域における面支持から、押圧部材の幅にわたって見て線支持への移行、ひいてはこの接触区域における高められた接触圧への移行に繋がり、これにより図１に示した最大加圧が起こる。これまでこの状況は考慮されなかった。何故ならば、普通の理解によれば、押圧部材とチェーンリンクプレートの間の接触面領域における負荷を軽減するために、可能な限り大きな曲率半径が考慮されたからである。
【００１３】
つまり、当接面領域では、１つには、許容可能な面圧の要求が考慮されなければならず、もう１つに、押圧部材の、チェーンリンクプレートに対する相対的な回動も阻止されなければならないという目的対立が存在する。今や本発明の課題は、特にＣＶＴチェーンまたは歯付きチェーンとして車両駆動装置に用いられる、この目的対立を解消するリンクプレートチェーンを提供することである。
【００１４】
今や本発明は、この課題を解決するために車両駆動装置に用いられる、押圧部材を介してジョイント式に互いに結合された複数のチェーンリンクプレートが設けられているリンクプレートチェーンを提供する。この場合、押圧部材は、リンクプレートチェーンの長手方向に対して横方向に延びていて、押圧部材とチェーンリンクプレートとには、湾曲されて形成された各当接面が形成されている。これらの当接面に沿って押圧部材とチェーンリンクプレートとは、力伝達のために互いに接触していて、各当接面は、リンクプレートチェーンの長手方向に対して横方向に延びている幅と、この幅に対して横方向に延びている、リンクプレートチェーンの長手方向において断面図で見て、所定の弧長とを有していて、当接面が、弧長に沿って種々異なる曲率を備えた少なくとも３つの領域を有している。
【００１５】
本発明に係る車両駆動装置に用いられるリンクプレートチェーンは、有利には、最小の曲率に対する最大の曲率の比が、少なくともファクタ２である。
【００１６】
本発明に係る車両駆動装置に用いられるリンクプレートチェーンは、有利には、少なくとも３つの領域における曲率が、個々の領域の内部で弧長に沿ってそれぞれ不変である。
【００１７】
本発明に係る車両駆動装置に用いられるリンクプレートチェーンは、有利には、少なくとも３つの領域における曲率が、個々の領域の内部で弧長に沿ってそれぞれ変化している。
【００１８】
本発明に係る車両駆動装置に用いられるリンクプレートチェーンは、有利には、当接面が、弧長に沿ってカーブセグメントを有しており、該カーブセグメントの２次導関数が連続的である。
【００１９】
本発明に係る車両駆動装置に用いられるリンクプレートチェーンは、有利には、当接面が、弧長に沿ってカーブセグメントを有しており、該カーブセグメントの、弧長に沿った最小の曲率半径が、弧長のほぼ中間に位置している。
【００２０】
これによって、本発明は言い換えればリンクプレートチェーンを提供するのであって、このリンクプレートチェーンが当接面を有していて、この当接面が、そのカーブ長さに沿って、リンクプレートチェーンの長手方向に沿った断面で見て、種々異なる曲率を有する少なくとも３つの領域を有していて、これにより、曲率における大きな変化は回避されるが、それにもかかわらず、押圧部材の、チェーンリンクプレートに対する相対的な回動を阻止するために、小さな曲率半径と大きな曲率半径とを有する領域が設けられている。
【００２１】
これによって、本発明は公知の認識とは違い、大きな曲率半径を有する可能な限り小さな曲率を当接面領域に提供するということが重要なのではなく、十分な数の種々異なる曲率が、押圧部材の当接面とチェーンリンクプレートの当接面とに設けられているものの、高い応力ピークに繋がる急激な曲率変化が回避されるという認識を利用する。
【００２２】
この場合、本発明の有利な構成によれば、最小の曲率に対する最大の曲率の比が、少なくともファクタ２であることが提案されている。この構成によって、押圧部材の、チェーンリンクプレートに対する相対的な回動防止手段が十分に存在していて、当接面が、その弧長またはカーブ長さに沿って少なくとも種々異なる３つの曲率を備えているという特徴と共に、小さな曲率変化も十分に存在していることになり、これによって曲率変化の領域の当接面に許容不可能な高い圧縮応力が生じることはない。
【００２３】
この場合、本発明によれば、少なくとも３つの領域における曲率は、個々の領域の内部で弧長に沿ってそれぞれ不変であっていてよく、つまりリンクプレートチェーンの軸長手方向に沿った断面で見て、カーブ長さまたは弧長は、少なくとも３つの円弧セグメントにより構成することができるということも提案されている。これによって、弧セグメントの種々異なる曲率間の変化は小さくなり、車両駆動装置に用いられるリンクプレートチェーンの押圧部材における曲率半径に関して考察すると、高い応力ピークに繋がる１ｍｍから５ｍｍへの大きな曲率半径変化に比べて、個々の曲率半径の変化は、まず１ｍｍから３ｍｍに、次いで５ｍｍへと行うことができるようになる。
【００２４】
本発明によれば、少なくとも３つの領域における曲率は、個々の領域の内部で弧長に沿ってそれぞれ変化しているということも提案されている。このことは言い換えれば、種々異なる３つの領域には一定の曲率が設けられているのではなく、曲率が、たとえば連続的に個々の領域の内部で変化し得るということを意味する。これによって、リンクプレートチェーンの軸長手方向断面で見て、螺旋セグメントから構成されている当接面が可能であり、螺旋セグメントの曲率ひいては曲率半径も、弧長に沿って連続的に変化する。この螺旋セグメントの他に、軸長手方向断面図で見て、楕円セグメントから構成されている当接面形状も可能である。楕円形セグメントの曲率は、最小値と最大値との間を連続的に変化している。この形状の他にカーブ長さのセグメントとして、双曲線または放物線から成るセグメントも可能であるか、または最も一般的には弧長に沿って、２次導関数が連続的であるカーブセグメントを有している当接面が可能である。
【００２５】
さらに本発明による構成によれば、当接面が、弧長に沿ってカーブセグメントを有しており、このカーブセグメントの、弧長に沿った最小の曲率半径が、弧長のほぼ中間に位置していることが提案されている。
【００２６】
最小の曲率半径が弧長のほぼ中間に配置されていることで、最大の曲率は、当接面の各端部領域の外側に位置することになり有利である。これによって、押圧部材において、この配置は、最小の曲率半径が当接面の各端部の領域に位置する配置と比較して、より剛性的になり、これによってより僅かにしか撓まなくなる。押圧部材が僅かに撓む場合には、張力はすなわち相並んで配置されている全てのチェーンリンクプレートに均一に分配され、チェーンリンクプレートはより高い耐久性を獲得し、リンクプレートチェーンは、全体的により高い張力を伝達することができる。
【００２７】
つまり本発明によるリンクプレートチェーンによって、著しい接触加圧跳躍は、当接面の種々異なる曲率半径間の伝達領域においてもはや生じることはない。チェーンリンクプレートの開口内での押圧部材の回動防止も、公知のリンクプレートチェーンと比較して高められる。
【００２８】
以下に、本発明を図面につき詳細に説明する。
【００２９】
既に説明したように、図１には、公知のリンクプレートチェーンの押圧部材とチェーンリンクプレートとの間にある当接面領域における面圧の経過が示してある。符号Ｋで示した小さな曲率半径と、符号Ｇで示した大きな曲率半径との間の移行領域には、押圧部材とチェーンリンクプレートとの間に接触圧の顕著な最大量が生じる。この場合、これに関しては、小さな曲率半径Ｋと大きな曲率半径Ｇとの間の曲率半径のジャンプ、つまり曲率半径の急激な変化が原因である。
【００３０】
図２には、公知のＣＶＴリンクプレートチェーン１の一部分が示してある。ＣＶＴリンクプレートチェーン１は、複数の押圧部材２，３とチェーンリンクプレート４とから構成される。図２において符号Ａで示した領域が、図１において拡大して示してあり、これにより、図１には押圧部材２とチェーンリンクプレート４とが表してある。
【００３１】
今や図３には、本発明による第１の実施例の、リンクプレートチェーン７の押圧部材５とチェーンリンクプレート６との拡大図が示してある。
【００３２】
容易に見て取ることができるように、押圧部材５とチェーンリンクプレート６との間には、２つの当接面領域８，１１が形成されている。この場合、当接面領域８は、押圧部材５における当接面９と、チェーンリンクプレート６に相補的に形成された当接面１０とによって形成される。同じようにして当接面領域１１は、押圧部材５の当接面と、チェーンリンクプレート６の当接面とから構成される。
【００３３】
押圧部材５とチェーンリンクプレート６とは、当接面９もしくは当接面１０において力伝達のために互いに接触している。チェーンリンクプレート６は、図３の図平面に対して直交する横方向である程度の幅を有していて、多数のチェーンリンクプレートが、相並んで位置して同じ押圧部材５に接触しているので、リンクプレートチェーン７で伝達される張力は、押圧部材とチェーンリンクプレートとの間の個々の当接面領域に分配される。リンクプレートチェーン７の幅に対して横方向で延びている軸方向縦断面図では、各当接面９，１０は、所定の弧長またはカーブ長さを有している。この弧長またはカーブ長さは、図ではそれぞれ中括弧１２により表される。
【００３４】
今や図３には、本発明のリンクプレートチェーンの第１の実施例が示してある。第１の実施例では、押圧部材５の当接面９と、このこれに対して相補的にチェーンリンクプレート６の当接面１０とが、種々異なる曲率を有する領域を伴って形成されている。今やこれらの曲率を図によって示すことができるようにするために、図３には、相応に種々異なる曲率半径１３，１４，１５，１６を備えた種々異なる曲率を有する領域が、それぞれ破線で示してある。この場合、各曲率半径１３，１４，１５，１６は、種々異なる曲率を有する領域に対して垂直に示されていて、これによって、人間の目では視覚的に容易に把握できない、当接面９，１０の種々異なる曲率を図によって示すことができる。
【００３５】
しかし図３から、曲率半径１３の領域の曲率が曲率半径１４の領域の曲率よりも小さく、領域１３の曲率半径が領域１４の曲率半径よりも大きいということが容易に明らかになる。相応に、領域１５の曲率半径は領域１４の曲率半径よりも小さく、それに応じて領域１５の曲率は領域１４の曲率よりも大きい。これによって、当接面領域８における押圧部材５の当接面９と、これに対して相補的にチェーンリンクプレート６の当接面１０とは、既に種々異なる３つの曲率を当接面９，１０の弧長またはカーブ長さに沿って有している。さらに図３には、曲率半径領域１３，１４，１５とは異なる曲率半径１６を有するさらに別の第４の領域１６が、弧長に沿って当接面９，１０に形成されていることも示してある。相応に、当接面領域１１も種々異なる曲率を備えた領域を有している。この場合、ここでは種々異なる曲率を有する３つの領域しか設けられていない。
【００３６】
今や図４には、本発明による第２の実施例のリンクプレートチェーンの押圧部材が示してある。この場合、この押圧部材はやはり、円錐形ディスク式巻掛け伝動装置に用いられるリンクプレートチェーンの押圧部材である。
【００３７】
この押圧部材５では、転動面は符号１７で示されていて、この転動面１７で、押圧部材５は、相対する側の押圧部材（押圧部材対偶のことである）において転動する。この場合、基本的な構成を図２に基づき見て取ることができる。押圧部材５は、やはり２つの当接面１８，１９を有していて、これらの当接面１８，１９は、チェーンリンクプレート（図示せず）の相補的に形成された当接面に配置されている。上側の当接面１８は、符号Ｂで示した点を有していて、この点Ｂに最大曲率が位置している、つまり、説明のために当接面１８に対してやはり垂直に示した曲率半径がその最小値を有している。この点Ｂから曲率半径は両方向で増大するので、曲率は点Ｂから両方向で当接面１８において連続的に縮小する。この場合、点Ｂから曲率半径は矢印２０の方向で楕円のセグメントに相応して増大して、矢印２１の方向で螺線のセグメントに相応して増大する。
【００３８】
図４には、下側の当接面１９における、最大曲率を有する点Ｃからの同様の特性が示してある。この場合、曲率半径は、矢印２２の方向で双曲線セグメントに相応して増大し、矢印２３の方向で放物線のカーブから成るセグメントに相応して増大する。
【００３９】
図５は図４に似せて示した。この場合、図５に示した押圧部材２４は、歯付きチェーンの押圧部材である。歯付きチェーンは、たとえば駆動装置用の歯付きチェーンとしてか、またはコンベヤ装置における歯付きチェーンとして使用され得る。押圧部材２４も転動面２５を有していて、この転動面２５で押圧部材２４は、押圧部材対偶の対応配置された押圧部材において転動することができる。押圧部材２４も、上側の当接面２６と下側の当接面２７とを有している。この場合、当接面２６の構成は、曲率半径（曲率半径はやはり、当接面の輪郭に対して垂直に破線で示した）が点Ｂから、やはり中括弧１２にわたって示されている弧長に沿って、当接面２６の両方向で増大するように選択されている。相応に、当接面２７の曲率半径は、符号Ｃで示した最大の曲率（最小の曲率半径に相応）を有する点から両方向で増大する。
【００４０】
さらに見て取ることができるように、当接面の最大の曲率ひいては最小の曲率半径が、当接面の弧長もしくはカーブ長さにわたって見た当接面のほぼ中間で延びていると、押圧部材の圧力剛性のある１つの設計が可能である。
【００４１】
今や図６がこの関係の説明に役立つ。符号Ｂもしくは符号Ｃによって、上側の当接面もしくは下側の当接面の点がやはり示されている。これらの点は、最大の曲率ひいては最小の曲率半径を各当接面の内に有している。図面に基づき容易に見て取ることができるように、点Ｂ；Ｃは、弧長２８のほぼ中間に位置していて、この弧長２８の下方には破線で示した曲率半径を有する領域も延びている。最大の曲率を有する点は、弧長に沿って（弧長２８にわたって測定して）当接面のほぼ中間に位置するということを先に言及したが、点Ｂ；Ｃが、弧長２８の４０％〜６０％の領域Ｄ内に位置していると、同様に有利な効果が達成されるということが分かった。この領域は、押圧部材の下側の当接面との接線の３０°〜６０°の角度領域に一致する。この場合、３０°〜６０°の角度は接線２９とチェーン延在方向３０との間で測定される。今や、各当接面の最大の曲率を有する点が、弧長２８の全長の４０％〜６０％以内、もしくはチェーン延在方向３０に対する接線２９の３０°〜６０°以内に位置すると、剛性的なひいてはほとんど撓むことのない押圧部材がもたらされる。このことはやはり、リンクプレートチェーンまたは歯付きチェーンで伝達可能な高められた張力に繋がる。
【００４２】
今や図７には、本発明により形成されたリンクプレートチェーン（この場合、本発明の専門用語によればリンクプレートチェーンの概念は、歯付きチェーンも含む）の押圧部材５とチェーンリンクプレート６との間の、図面において選択された下側の当接面での接触圧経過がさらに示してある。図１の公知のリンクプレートチェーンの接触圧経過と、本発明によるリンクプレートチェーンの図７による接触圧経過との比較により、図１に示した顕著な最大接触圧が消滅していることが即座に明らかになる。当接面における接触圧経過を示すために、両図面では互いに規格化された図が選択されたので、各矢印の長さは、当接面の各観察点における接触圧の高さも表している。これによって、視覚的な点検に基づき、図１の著しい最大接触圧は消滅し、ひいては本発明によるリンクプレートチェーンが、冒頭で述べた課題をクリアしていることが容易に見て取ることができる。
【図面の簡単な説明】
【００４３】
【図１】明らかに異なる２つの曲率半径を有する公知の構成における、押圧部材とチェーンリンクプレートとの当接面の接触面領域での面加圧の経過を示した図である。
【図２】ＣＶＴ伝動装置において使用するための公知のリンクプレートチェーンの概略図であり、この場合、図１は、符号Ａで示した領域の拡大図である。
【図３】本発明による、第１の実施例のチェーンリンクプレートと押圧部材との拡大図である。
【図４】本発明による、第２の実施例の押圧部材の拡大図である。
【図５】本発明による、第３の実施例の押圧部材の拡大図であり、かつこれらの押圧部材から構成された、本発明による歯付きチェーンを示した図である。
【図６】個々の符号を説明するために、１つの押圧部材を拡大した図である。
【図７】本発明のリンクプレートチェーンの押圧部材とチェーンリンクプレートとの間の接触面領域における面加圧経過を説明するための、図１に類似した図である。
【符号の説明】
【００４４】
１  リンクプレートチェーン、  ２，３  押圧部材、  ４  チェーンリンクプレート、  ５  押圧部材、  ６  チェーンリンクプレート、  ７  リンクプレートチェーン、  ８  当接面領域、  ９  押圧部材の当接面、  １０  チェーンリンクプレートの当接面、  １１  当接面領域、  １２  中括弧、  １３，１４，１５，１６  曲率半径、  １７  転動面、  １８，１９  当接面、  ２０，２１，２２，２３  矢印、  ２４  押圧部材、  ２５  転動面、  ２６  上側の当接面、  ２７  下側の当接面、  ２８  弧長、  ２９  接線、  ３０  チェーン延在方向、  Ｂ，Ｃ  最大曲率を有する点、  Ｄ  弧長の４０〜６０％の領域、  Ｋ  小さな曲率半径、  Ｇ  大きな曲率半径
【図１】
2008522111.tif 000003
【図２】
2008522111.tif 000004
【図３】
2008522111.tif 000005
【図４】
2008522111.tif 000006
【図５】
2008522111.tif 000007
【図６】
2008522111.tif 000008
【図７】
2008522111.tif 000009
【国際調査報告】
2008522111.tif 000010
2008522111.tif 000011
2008522111.tif 000012
2008522111.tif 000013